(57)【要約】【課題】本発明は、同一空間内に多重的な照明環境を創出することで、同一空間内における複数のユーザそれぞれが所望する照明環境を提示することができる照明制御システム及び照明制御プログラムを提供することを目的とする。【解決手段】照明制御システム１は、可視光を照射する光照射部３１０の点灯と消灯とを所定の点滅周期で切り替え可能な光照射装置３００と、可視光を遮断する遮光状態と可視光を遮断しない非遮光状態とに可逆的に遷移可能な光遮断部５１０を有し、光遮断部５１０ａを遮光状態と非遮光状態とに所定の切替え周期で切替え可能な光遮断装置５００と、光照射装置３００の点滅周期と光遮断装置５００の切替え周期とを同期可能な制御装置１００と、を備える。【選択図】図２
2020136092.tif 000002
【特許請求の範囲】
【請求項１】
可視光を照射する光源を有し、前記光源の点灯と消灯とを所定の点滅周期で切り替え可能な光照射装置と、
可視光を遮断する遮光状態と可視光を遮断しない非遮光状態とに可逆的に遷移可能な光遮断部を有し、前記光遮断部を前記遮光状態と前記非遮光状態とに所定の切替え周期で切替え可能な光遮断装置と、
所定の通信手段によって前記光照射装置及び前記光遮断装置と接続され、前記光照射装置の前記点滅周期と前記光遮断装置の前記切替え周期とを同期可能な制御装置と、
を備える照明制御システム。
【請求項２】
前記光照射装置が複数設けられ、
前記制御装置は、複数の前記光照射装置のそれぞれが有する前記光源の点灯期間が重複しないように複数の前記光照射装置のそれぞれの前記点滅周期を設定する
請求項１記載の照明制御システム。
【請求項３】
前記光照射装置が複数設けられ、
前記制御装置は、前記光遮断装置の前記切替え周期と複数の前記光照射装置のうちいずれか一の光照射装置の前記点滅周期とを同期させる
請求項１または２に記載の照明制御システム。
【請求項４】
前記制御装置は、前記光遮断部が複数の前記光照射装置のうちいずれか一の光照射装置の前記光源の点灯に同期して前記非遮光状態となり、前記光源の消灯に同期して前記遮光状態となるように前記光遮断装置の前記切替え周期を設定する
請求項２または３記載の照明制御システム。
【請求項５】
前記光遮断装置が複数設けられ、
前記制御装置は、複数の前記光遮断装置の前記切替え周期のそれぞれを、複数の前記光照射装置のうちいずれか一の前記点滅周期と同期させる
請求項２から４のいずれか１項に記載の照明制御システム。
【請求項６】
前記光遮断装置が複数設けられ、
前記制御装置は、複数の前記光遮断装置のそれぞれが有する前記光遮断部が前記非遮光状態となる期間が重複しないように複数の前記光遮断装置のそれぞれの前記切替え周期を設定する
請求項１記載の照明制御システム。
【請求項７】
前記制御装置は、前記光照射装置の前記点滅周期と複数の前記光遮断装置のうちいずれか一の光遮断装置の前記切替え周期とを同期させる
請求項６記載の照明制御システム。
【請求項８】
前記制御装置は、前記光源が前記一の光遮断装置の前記光遮断部の前記非遮光状態への遷移に同期して点灯し、前記光遮断部の前記遮光状態への遷移に同期して消灯するように前記光照射装置の前記点滅周期を設定する
請求項７記載の照明制御システム。
【請求項９】
前記光照射装置が複数設けられ、
前記制御装置は、複数の前記光照射装置の前記点滅周期のそれぞれを、複数の前記光遮断装置のうちいずれか一の前記切替え周期と同期させる
請求項６から８のいずれか１項に記載の照明制御システム。
【請求項１０】
前記制御装置は、前記点滅周期が６０Ｈｚ以上となるように前記光照射装置の全てを制御する
請求項１から９のいずれか１項に記載の照明制御システム。
【請求項１１】
前記制御装置は、前記光遮断装置の前記光遮断部が前記遮光状態と前記非遮光状態との遷移期間中である場合に、全ての前記光照射装置の前記光源が点灯しないように制御する
請求項１から１０のいずれか１項に記載の照明制御システム。
【請求項１２】
前記光遮断装置が有する前記光遮断部は、前記遮光状態と前記非遮光状態とを電気的に切替え可能なシャッター機構を有し、
前記制御装置は、前記切替え周期に基づいて前記シャッター機構を前記遮光状態と前記非遮光状態とに切り替えるように前記光遮断装置を制御する
請求項１から１１のいずれか１項に記載の照明制御システム。
【請求項１３】
前記光遮断装置は、前記光遮断部がユーザの目を覆うようにして装着可能な形状を有している
請求項１から１２のいずれか１項に記載の照明制御システム。
【請求項１４】
請求項１から１３にいずれか１項に記載の照明制御システムを制御するプログラムであって、
コンピュータを、
所定の通信手段によって前記光照射装置及び前記光遮断装置と接続され、前記光照射装置の前記点滅周期と前記光遮断装置の前記切替え周期とを同期可能な前記制御装置として機能させる照明制御プログラム。
【発明の詳細な説明】
【技術分野】
【０００１】
本発明は、同一空間において多重的な照明環境を提供する照明システム及び照明制御プログラムに関する。
【０００２】
照明などの屋内の光環境（照明環境）の改善は、健康や経済など多くの観点から注目されており、近年屋内の照明環境を改善してオフィス空間の生産性や健康を向上させる研究が盛んに行われている。例えば、生産性や健康に影響を与える集中度や疲労などは、視覚刺激の影響を受けることが示されており、オフィス空間の生産性を向上させるために、作業者を取り巻く照明環境を制御する研究がなされている。
【０００３】
また、人間が視覚刺激から受ける影響は個人ごとに異なることが指摘されており、生産性を向上させるためには、例えばオフィス空間のように複数人が存在する場所においても個人ごとに異なる照明環境を提示する必要があるといえる。
複数人が存在するオフィス空間においてより適切な照明環境を実現する方法として、コンピュータによって多数の照明を包括的に制御しオフィス空間内で複数の特定の領域に意図された照度を提示する知的照明システムがある（例えば、特許文献１）。
【先行技術文献】
【特許文献】
【０００４】
【特許文献１】特開２００５−５６６６８号公報
【発明の概要】
【発明が解決しようとする課題】
【０００５】
しかしながら、このような照明システムでは、各人に近接する空間の照明環境を制御することはできるものの、それぞれの人の視界に入る可能性のある同一空間内の照明環境すべてを制御することはできない。このため、実際に各人に提示される照明環境は、各作業者の要求からはかけ離れたものとなるという問題がある。
【０００６】
そこで、本発明は、このような問題に鑑み、同一空間内に多重的な照明環境を創出することで、同一空間内における複数のユーザそれぞれが所望する照明環境を提示することができる照明制御システム及び照明制御プログラムを提供することを目的とする。
【課題を解決するための手段】
【０００７】
上記課題を解決するために、本発明の一態様による照明制御システムは、可視光を照射する光源を有し、前記光源の点灯と消灯とを所定の点滅周期で切り替え可能な光照射装置と、可視光を遮断する遮光状態と可視光を遮断しない非遮光状態とに可逆的に遷移可能な光遮断部を有し、前記光遮断部を前記遮光状態と前記非遮光状態とに所定の切替え周期で切替え可能な光遮断装置と、所定の通信手段によって前記光照射装置及び前記光遮断装置と接続され、前記光照射装置の前記点滅周期と前記光遮断装置の前記切替え周期とを同期可能な制御装置と、を備える。
【０００８】
また、本発明の一態様による照明制御プログラムは、照明制御システムを制御するプログラムであって、コンピュータを、所定の通信手段によって前記光照射装置及び前記光遮断装置と接続され、前記光照射装置の前記点滅周期と前記光遮断装置の前記切替え周期とを同期可能な制御装置として機能させる。
【発明の効果】
【０００９】
本発明の一態様によれば、同一空間内に多重的な照明環境を創出することで、同一空間内における複数のユーザそれぞれが所望する照明環境を提示することができる。
【図面の簡単な説明】
【００１０】
【図１】本発明の一実施形態による照明制御システムの概要を説明する図である。
【図２】本発明の一実施形態による照明制御システムの機能構成の一例を説明する図である。
【図３】本発明の一実施形態による照明制御システムにおける光照射装置の点滅周期と光遮断装置の切替え周期との同期関係を説明する図である。
【図４】本発明の一実施形態による照明制御システムが提供する照明環境の一例を示す図である（その１）。
【図５】本発明の一実施形態による照明制御システムが提供する照明環境の一例を示す図である（その２）。
【図６】本発明の一実施形態の変形例による照明制御システムにおける光照射装置の点滅周期と光遮断装置の切替え周期との同期関係を説明する図である。
【発明を実施するための形態】
【００１１】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１２】
（照明制御システムの概略構成）
本発明の一実施形態による照明制御システムは、可視光を照射可能であって高速で点滅する光源を有する光照射装置と、例えば個人用の装着型機器であって該光源の点滅に合わせて可視光を遮断する状態（遮光状態）と可視光を遮断しない状態（非遮光状態）とを切替え可能な光遮断装置とを同一空間内で使用することで、同一空間内において同時に多重的な照明環境を創出し、各人に所望する照明環境を提供することができるシステムである。
【００１３】
まず、図１及び図２を用いて、本実施形態による照明制御システム１の構成及び機能を説明する。図１は、本実施形態による照明制御システム１の概略構成の一例を説明する図である。また、図２は、照明制御システム１の機能構成の一例を説明するブロック図である。以下、２つの光照射装置３００ａ，３００ｂと、２つの光遮断装置５００ａ，５００ｂとを用いて所定の屋内空間α（図１参照）に多重的な照明環境を創出する例を説明する。なお、照明制御システム１において、光照射装置３００及び光遮断装置５００の個数は２つに限定されず、１つまたは３つ以上であってもよい。
【００１４】
図１に示すように、本実施形態による照明制御システム１は、光照射装置３００と、光遮断装置５００と、光照射装置３００及び光遮断装置５００を制御する制御装置１００とを備えている。本例では、照明制御システム１は、２つの光照射装置３００（光照射装置３００ａ，３００ｂ）と２つの光遮断装置５００（光遮断装置５００ａ，５００ｂ）とを備えており、制御装置１００は、光照射装置３００ａ，３００ｂ及び光遮断装置５００ａ，５００ｂのそれぞれを個別に制御するように構成されている。
【００１５】
本実施形態による照明制御システム１において光照射装置３００ａ，３００ｂは、可視光を照射する光照射部３１０ａ，３１０ｂ（光源の一例、図２参照）を有し、光照射部３１０ａ，３１０ｂの点灯と消灯とを所定の点滅周期で切り替え可能に構成されている。
また、光遮断装置５００ａ，５００ｂは、可視光を遮断する遮光状態と可視光を遮断しない非遮光状態とに可逆的に遷移可能な光遮断部５１０ａ，５１０ｂを有し、光遮断部５１０ａ，５１０ｂを遮光状態と非遮光状態とに所定の切替え周期で切替え可能に構成されている。
また、制御装置１００は、所定の通信手段によって光照射装置３００ａ，３００ｂ及び光遮断装置５００ａ，５００ｂと接続され、光照射装置３００ａ，３００ｂの点滅周期と光遮断装置５００ａ，５００ｂの切替え周期とを同期可能に構成されている。
【００１６】
光照射装置３００ａ，３００ｂは、例えば屋内空間α内の天井に設置されており、照明器具として用いられる。また、光遮断装置５００ａ，５００ｂは、光照射装置３００ａ，３００ｂが設置された同一空間内（本例では屋内空間α内）に設置されている。具体的には、光遮断装置５００ａ，５００ｂは、屋内空間α内で作業等を行う照明制御システム１のユーザ（本例では、ユーザＰ１，Ｐ２）が装着可能な個人用機器である。図１では、光遮断装置５００はメガネ型の装着型機器として例示されている。また、制御装置１００は、例えば、屋内空間α内に設置されたパーソナルコンピュータ等である。
なお、本実施形態による照明制御システム１の効果を十分に得るためには、照明制御システム１を利用する屋内空間（本例では屋内空間α）は、外部からの光（例えば、窓からの自然光等）の影響が少ない環境であることが望ましい。また、屋内空間αが設けられる照明制御システム１の利用施設としては、例えばオフィスビル、学校、図書館、店舗、アミューズメント施設等が想定される。
【００１７】
以下、照明制御システム１を構成する各装置について主に図２を用いて説明する。なお、以下では光照射装置３００ａ，３００ｂを光照射装置３００と総称し、光遮断装置５００ａ，５００ｂを光遮断装置５００と総称する場合がある。
【００１８】
（制御装置）
制御装置１００は、所定の通信手段によって光照射装置３００及び光遮断装置５００と接続されている所定の端末装置である。制御装置１００としては、例えば照明制御システム１の利用施設に設置されたコンピュータやスマートフォン、タブレット端末等の通信機能を有する装置が想定される。上述のように、制御装置１００は、光照射装置３００及び光遮断装置５００が設置されている同一空間内（本例では屋内空間α内）に設置されていてもよいし、利用施設内における異なる空間（別室）に設置されていてもよい。
【００１９】
また、制御装置１００と光照射装置３００及び光遮断装置５００とを接続する通信手段としては、例えば無線通信手段（例えば近距離型無線通信（ＮＦＣ；Ｎｅａｒ  ｆｉｅｌｄ  ｒａｄｉｏ  ｃｏｍｍｕｎｉｃａｔｉｏｎ）、無線ＬＡＮ（Ｗｉｒｅｌｅｓｓ  Ｌｏｃａｌ  Ａｒｅａ  Ｎｅｔｗｏｒｋ）、ブルートゥース（Ｂｌｕｅｔｏｏｔｈ）（登録商標）等）や、有線通信手段を適用することができる。
【００２０】
また、制御装置１００は、例えば、演算処理や制御処理等を行う中央演算処理装置（Ｃｅｎｔｒａｌ  Ｐｒｏｃｅｓｓｉｎｇ  Ｕｎｉｔ：ＣＰＵ）、ＣＰＵによって実行される演算プログラムや制御プログラム等が記憶された記憶装置（Ｒｅａｄ  Ｏｎｌｙ  Ｍｅｍｏｒｙ：ＲＯＭ、Ｒａｎｄｏｍ  Ａｃｃｅｓｓ  Ｍｅｍｏｒｙ：ＲＡＭ）、光照射装置３００及び光遮断装置５００やその他の外部装置と信号の入出力を行うインターフェイス（Ｉ／Ｆ）部等を有するコンピュータとして構成されている。
【００２１】
具体的には、所定のコンピュータのＣＰＵが、当該コンピュータを、所定の通信手段によって光照射装置３００及び光遮断装置５００と接続され、光照射装置３００の点滅周期と光遮断装置５００の切替え周期とを同期可能な制御装置として機能させるプログラムを実行することで、当該コンピュータを制御装置１００として機能させることができる。
【００２２】
（制御装置による点滅周期制御）
制御装置１００は、光照射装置３００に点滅制御信号を送信することで、光照射装置３００が有する光源（後述する光照射部３１０）が所定の点滅周期で点滅するように制御する。ここで、点滅周期は、光照射装置３００の光照射部３１０が点灯し、所定の点灯時間後に消灯し、所定の消灯時間後に再度点灯するまでの１サイクルを示す。点滅周期は、点滅速度または点滅間隔ともいう。本実施形態による照明制御システム１において、点滅周期は、６０Ｈｚ以上であると好ましい。これは、人の視覚は高速で点滅する光源をその点滅の平均の明るさで連続して点灯するものとして知覚する性質を持ち、この知覚を引き起こす点滅の頻度（臨界融合周波数:ＣＦＦ）が６０Ｈｚ以上とされているためである。
【００２３】
制御装置１００が光照射装置３００に送信する点滅制御信号は、光照射装置３００の光照射部３１０を点灯させるための点灯制御信号及び光照射部３１０を消灯させるための消灯制御信号の２種類がある。制御装置１００は、点滅周期が少なくとも６０Ｈｚ以上となるように、点灯制御信号と消灯制御信号とを所定の送信間隔で交互に光照射装置３００に送信し、光照射部３１０の点滅周期を制御する。
【００２４】
本実施形態による照明制御システム１において、制御装置１００は、光照射装置３００ａ，３００ｂのそれぞれが有する光照射部３１０ａ，３１０ｂの点灯期間が重複しないように複数の光照射装置３００ａ，３００ｂのそれぞれの点滅周期を設定する。
なお、本発明はこれに限られず、例えば光照射装置３００ａ、３００ｂの点灯期間が重複してもよい。光照射装置３００ａ、３００ｂの点灯期間は、求める照明環境に応じて適宜変更することができる。
【００２５】
詳しくは後述するが、例えば、制御装置１００は、光照射装置３００ａ，光照射装置３００ｂの点滅周期の１サイクル（図３（ａ）に示すサイクルＡ及び図３（ｂ）に示すサイクルＢ）を、３つの期間に３分割して管理する。例えば、点滅周期は第一期間「点灯」→第二期間「消灯」→第三期間「消灯」の３つの期間で構成される。本例において、各期間はの長さは同一である。
【００２６】
例えば、制御装置１００は、照明制御システム１の動作開始時において、光照射装置３００ａの点滅周期の第一期間「点灯」の開始タイミングと、光照射装置３００ｂの点滅周期の第一期間「点灯」の開始タイミングとを異ならせることにより、以降、光照射装置３００ａおよび光照射装置３００ｂの光照射部３１０（光照射部３１０ａ，３１０ｂ）の点灯期間が重複しないように制御することができる。
【００２７】
具体的には、制御装置１００は、照明制御システム１の動作開始時において、まず光照射装置３００ａに点灯制御信号を送信し、光照射装置３００ａの点滅周期の第一期間「点灯」を開始する。このとき、制御装置１００は、光照射装置３００ｂには点滅制御信号を送信しない。つまり、照明制御システム１の動作開始時において、光照射装置３００ｂは待機状態となっており点滅周期が開始されないため、光照射装置３００ｂの光照射部３１０ｂは消灯している。このように、照明制御システム１の動作開始時には、光照射装置３００ａの光照射部３１０ａは点灯し、光照射装置３００ｂの光照射部３１０ｂは消灯している。
【００２８】
次いで、制御装置１００は、光照射装置３００ａの点滅周期の第一期間「点灯」の終了タイミングにおいて、光照射装置３００ａに消灯制御信号を送信して第二期間「消灯」を開始するとともに、光照射装置３００ｂに点灯制御信号を送信して光照射装置３００ｂにおける点滅周期の第一期間「点灯」を開始する。これにより、光照射装置３００ａの光照射部３１０ａは消灯するとともに、光照射装置３００ｂの光照射部３１０ｂが点灯される。
【００２９】
次いで、制御装置１００は、光照射装置３００ａの点滅周期の第二期間「消灯」の終了タイミングにおいて、光照射装置３００ａに消灯制御信号を送信して第三期間「消灯」を開始するとともに、光照射装置３００ｂにも消灯制御信号を送信して光照射装置３００ｂにおける点滅周期の第二期間「消灯」を開始する。これにより、光照射装置３００ａの光照射部３１０ａは消灯を維持するとともに、光照射装置３００ｂの光照射部３１０ｂが点灯される。
【００３０】
次いで、制御装置１００は、光照射装置３００ａの点滅周期の第三期間「消灯」の終了タイミングにおいて、光照射装置３００ａに点灯制御信号を送信して再度第一期間「点灯」を開始するとともに、光照射装置３００ｂに消灯制御信号を送信して光照射装置３００ｂにおける点滅周期の第三期間「消灯」を開始する。これにより、光照射装置３００ａの光照射部３１０ａが点灯するとともに、光照射装置３００ｂの光照射部３１０ｂが消灯を維持する。
このように、制御装置１００は、光照射装置３００ａの点滅周期と、光照射装置３００ｂの点滅周期とを１期間分ずらして制御する。これにより、本実施形態による照明制御システム１は、光照射装置３００ａ，３００ｂのそれぞれが有する光源（光照射部３１０ａ，３１０ｂ）の点灯期間が重複しないように動作可能となる。
【００３１】
なお、例えば、制御装置１００にはパルス信号を送信可能なハードウェア装置（パルス信号送信器）が設けられて（または、接続されて）おり、この送信器が送信するパルス信号によって光照射装置３００の点滅制御を行ってもよい。パルス信号送信器は、パルス信号送信機能を有するソフトウェアとして制御装置１００に組み込まれていてもよい。
【００３２】
具体的には、制御装置１００は、上述の送信器を介して光照射装置３００の点滅周期と同じ周期を有する連続パルス信号を送信可能に構成されており、例えば高レベル（Ｈｉｇｈ）のパルス信号を点灯制御信号、低レベル（Ｌｏｗ）のパルス信号を消灯制御信号として光照射装置３００に送信する。上述のように、点滅周期は、第一期間「点灯」→第二期間「消灯」→第三期間「消灯」の３つの期間で構成されるため、制御装置１００は、点滅制御用のパルス信号として高レベル（Ｈｉｇｈ）のパルス信号と低レベル（Ｌｏｗ）のパルス信号とを１：２の比率で繰り返し送信すればよい。
【００３３】
また、光照射装置３００ａの点滅周期と光照射装置３００ｂの点滅周期とを１期間分ずらして制御するためには、光照射装置３００ａ用のパルス信号と光照射装置３００ｂ用のパルス信号との位相をずらして送信すればよい。具体的には、例えば光照射装置３００ａに対して点滅周期における第二期間「消灯」に対応する低レベルのパルス信号を送信するときに、光照射装置３００ａの点滅周期における第一期間「点灯」に対応する高レベルのパルス信号を送信するように２つの光照射装置３００に対するパルス信号の位相をずらせばよい。
【００３４】
（光照射装置）
図２に示すように、光照射装置３００は、通信制御部３０１と、点滅制御部３０３と、光照射部３１０とを有している。光照射装置３００は、制御装置１００から送信された点滅制御信号に基づいて、可視光を照射可能な光源である光照射部３１０の点灯及び消灯のサイクルを繰り返すことで、所定の点滅周期で点滅する。本例では、光照射装置３００ａと光照射装置３００ｂとは、光照射部３１０（光照射部３１０ａ，３１０ｂ）の点滅周期が異なっているものの、機能構成は同一である。
【００３５】
通信制御部３０１は、制御装置１００から送信された点滅制御信号を受信して点滅制御部３０３に出力する。
また、点滅制御部３０３は、通信制御部３０１から入力される点滅制御信号に基づいて光照射部３１０の点灯状態を制御する。つまり、点滅制御部３０３は、点滅制御信号の種類が点灯制御信号であるか、または消灯制御信号であるかを解析して、光照射部３１０を制御（駆動）する所定の信号またはコマンドを生成する。点滅制御部３０３は、生成した信号またはコマンドを光照射部３１０に出力する。そして、光照射部３１０は、点滅制御部３０３から入力される所定の信号またはコマンドによって制御（駆動）されて、点灯、消灯の切替え（スイッチング）によって点滅する。
【００３６】
光照射部３１０は、可視光を照射可能な光源で構成されている。光照射部３１０は、点滅周期が制御装置１００によって制御されるため、電気的に点灯、消灯を切り替え可能な光源であれば特に限定されない。点滅制御部３０３は、光照射部３１０を構成する光源に応じた信号またはコマンドによって光照射部３１０の点灯および消灯の切替え制御を行う。ここで、光照射部３１０は、例えば複数のＬＥＤランプの集合体で形成されているとする。また、光照射部３１０ａと光照射部３１０ｂとは同一の光源で構成されていてもよいし、輝度や光量、発光色がそれぞれ異なっていてもよい。光照射部３１０ａと光照射部３１０ｂとを異なる態様の光源で構成することで、照明制御システム１は、より多様な照明環境を提供することができる。なお、光照射装置３００の光量や発光色は当業者が適宜変更することができる。
【００３７】
（光遮断装置）
図１に示すように、光遮断装置５００は、通信制御部５０１と、光遮断制御部５０３と、光遮断部５１０とを有している。光遮断装置５００は、制御装置１００から送信された切替え制御信号に基づいて、光遮断部５１０を可視光を遮断する遮光状態と可視光を遮断しない非遮光状態とに遷移させることで、光照射装置３００の点滅周期と同期した切替え周期で光遮断部５１０の状態を切替える。また、詳しくは後述するが、本実施形態では、光遮断部５１０ａの切替え周期は光照射部３１０ａの点滅周期と同期され、光遮断部５１０ｂの切替え周期は光照射部３１０ｂの点滅周期と同期されている。したがって、光遮断装置５００ａと光遮断装置５００ｂとは、光遮断部５１０（光遮断部５１０ａ，５１０ｂ）の切替えタイミングが異なっているものの、機能構成は同一である。
【００３８】
通信制御部５０１は、制御装置１００から送信された切替え制御信号を受信して光遮断制御部５０３に出力する。
また、光遮断制御部５０３は、通信制御部５０１から入力される切替え制御信号に基づいて光遮断部５１０の状態を制御する。つまり、光遮断制御部５０３は、切替え制御信号の種類が光遮断部５１０を遮光状態とするための遮光制御信号であるか、または光遮断部５１０を非遮光状態とするための非遮光制御信号であるかを解析して、光遮断部５１０を制御（駆動）する所定の信号またはコマンドを生成する。光遮断制御部５０３は、生成した信号またはコマンドを光遮断部５１０に出力する。そして、光遮断部５１０は、光遮断制御部５０３から入力される所定の信号またはコマンドによって制御されて遮光状態、非遮光状態の切替えを行う。
【００３９】
本実施形態において、光遮断部５１０は、遮光状態と非遮光状態とを電気的に切替え可能なシャッター機構として構成されている。このようなシャッター機構としては、例えば、電圧の高低によって光の透過性を変化させることで遮光状態と非遮光状態とに遷移可能な液晶シャッターが想定される。この場合、光遮断部５１０は、光遮断制御部５０３から入力される所定の信号またはコマンドに基づいて電圧の高低を変化させて遮光状態と非遮光状態との切替えを行う。なお、光遮断部５１０は遮光状態と非遮光状態とを高速（少なくとも６０Ｈｚ以上）で電気的に切替え可能な構成であればシャッター機構に限定されるものではない。
【００４０】
また、本実施形態による照明制御システム１において、光遮断装置５００は、光遮断部５１０がユーザの目を覆うようにして装着可能な形状を有している。本実施形態では、光遮断装置５００は図１に示すようにメガネ型の装着型機器であり、光遮断部５１０は、一般的なメガネにおいてフレーム枠内に嵌められて装着者の左右の両眼を覆うレンズにあたる箇所に設けられている。
【００４１】
（制御装置による光遮断装置の切替え周期制御）
次に、制御装置１００による光遮断装置５００の切替え周期制御について説明する。
制御装置１００は、光遮断装置５００に切替え制御信号を送信することで、光遮断装置５００が有する光遮断部５１０（例えば、液晶シャッター）が所定の切替え周期で遮光状態と非遮光状態とに切り替わるように制御する。具体的には、制御装置１００は、光遮断装置５００の光遮断部５１０の切替え周期と複数の光照射装置３００のうちいずれか一の光照射装置３００（光照射装置３００ａまたは３００ｂ）の点滅周期とを同期させる。
【００４２】
より具体的には、制御装置１００は、光遮断部５１０が一の光照射装置３００（光照射装置３００ａ，３００ｂのいずれか）の光照射部（光源の一例）３１０の点灯に同期して非遮光状態となり、当該光照射部３１０の消灯に同期して遮光状態となるように光遮断装置５００の切替え周期を設定する。
【００４３】
ここで、図３を用いて、光遮断装置５００の光遮断部５１０の切替え周期と光照射装置３００の光照射部３１０の点滅周期との同期制御について説明する。本例では、光遮断装置５００ａの光遮断部５１０ａの切替え周期と光照射装置３００ａの光照射部３１０ａの点滅周期とが同期し、光遮断装置５００ｂの光遮断部５１０ｂの切替え周期と光照射装置３００ｂの光照射部３１０ｂの点滅周期とが同期している例を説明する。
【００４４】
図３（ａ）は、光照射装置３００ａの点滅周期と光遮断装置５００ａの切替え周期との同期関係を示す図である。
図３（ａ）の上から１段目は、光照射装置３００ａの点滅周期を示しており、上から２段目は、光照射装置３００ｂの点滅周期を示している。図３（ａ）の上から１段目及び２段目の縦軸は、各光照射装置３００の光源の輝度（Ｂｒｉgｈｔｎｅｓｓ）を示しており、輝度＝０の状態が消灯、輝度＝３の状態が点灯を示している。
【００４５】
図３（ａ）の上から３段目は、光遮断装置５００ａの光遮断部５１０ａの切替え周期を示しており、光遮断部５１０ａの遮光状態を黒色の横線で示し、非遮光状態を空白で示している。また、図３（ａ）の上から４段目は、光遮断装置５００ａを装着したユーザ（例えば、図１に示すユーザＰ１）の目に入射する可視光の輝度及びユーザが知覚する可視光の平均輝度を縦軸方向に示している。
なお、本例において、照明制御システム１の利用空間（例えば屋内空間α）は、例えば窓等からの自然光の入射がほぼなく、ユーザが知覚する可視光は光照射装置３００の光照射部３１０が照射する光のみであるとする。
【００４６】
また、図３（ａ）の上から１段目、２段目、４段目の横軸は時間軸（ｔ）を示している。つまり、図３（ａ）は、所定の点滅周期（例えば６０Ｈｚ）で点滅する光照射装置３００ａ，３００ｂの光照射部３１０（光照射部３１０ａ，３１０ｂ）の状態遷移と、光照射装置３００ａの光照射部３１０ａの点滅周期と同期した切替え周期による光遮断装置５００ａの光遮断部５１０ａの状態遷移と、ユーザが知覚する可視光の状態とを時系列で示している。
【００４７】
図３（ａ）に示すように、光照射装置３００ａの点滅周期の１サイクル（サイクルＡ）を形成する３つの期間において、光照射部３１０ａは点灯→消灯→消灯の順に状態が繰り返し遷移する。また、光照射装置３００ａと同期する光遮断装置５００ａの切替え周期の１サイクル（サイクルＡ）を形成する３つの期間において、光遮断部５１０ａは非遮光→遮光→遮光の順に状態が繰り返し遷移する。つまり、制御装置１００は、光照射装置３００ａの点滅周期の１サイクル（サイクルＡ）に合わせて光遮断装置５００ａの切替え周期の１サイクルを実施する。具体的には、制御装置１００は、光照射装置３００ａに点灯制御信号を送信するタイミングに合わせて、光遮断装置５００ａに非遮光制御信号を送信し、光照射装置３００ａに消灯制御信号を送信するタイミングに合わせて、光遮断装置５００ａに遮光制御信号を送信する。つまり、制御装置１００は、光照射装置３００ａの光照射部３１０ａの点灯に合わせて光遮断装置５００ａの光遮断部５１０ａを非遮光状態として、光照射部３１０ａの点灯期間に合わせて光遮断部５１０ａが可視光を透過するように制御する。
【００４８】
このように、本実施形態による照明制御システム１において、制御装置１００は、光遮断部５１０ａが一の光照射装置３００（本例では、光照射装置３００ａ）の有する光源である光照射部３１０ａの点灯に同期して非遮光状態となり、当該光照射部３１０ａの消灯に同期して遮光状態となるように光遮断装置５００ａの切替え周期を設定する。
【００４９】
これにより、図３（ａ）に示すように、光遮断装置５００ａの光遮断部５１０ａは、光照射装置３００ａの光照射部３１０ａが点灯状態（輝度＝３）の期間（点灯期間）に合わせて非遮光状態となり、光照射部３１０ａが消灯状態（輝度＝０）の期間（消灯期間）に合わせて遮光状態となる。
【００５０】
また、図３（ａ）に示すように、光照射装置３００ａの点滅周期における光照射部３１０ａの点灯期間と、光照射装置３００ｂの点滅周期における光照射部３１０ｂの点灯期間とは重複していない。このため、光遮断装置５００ａの光遮断部５１０ａは、光照射部３１０ｂの点灯期間には非遮光状態となることはない。
【００５１】
つまり、本例において、光遮断部５１０ａが非遮光状態（例えば液晶シャッターが開状態（光透過性あり））のとき光照射部３１０ａは必ず点灯している。一方、光遮断部５１０ａが非遮光状態のとき、光照射部３１０ｂは必ず消灯している。したがって、光遮断装置５００ａを装着しているユーザの目には、照明制御システム１における複数の光照射部３１０のうち、光照射部３１０ａが照射した可視光（輝度＝３）のみが入射することとなり、光照射部３１０ｂが照射した可視光が入射することはない。
【００５２】
なお、人は、高速で周期的に遮光状態と非遮光状態とが切り替わるとき、非遮光状態のみを連続して知覚する。つまり、本例では、液晶シャッターの開状態（可視光が透過される状態）と閉状態（可視光が非透過の状態）とが高速（例えば６０Ｈｚ）で周期的に切り替わる場合に、液晶シャッターの開状態のみが連続して知覚される。このため、光遮断装置５００ａを装着しているユーザは、光照射部３１０ａが常に点灯していると知覚し、実際には光照射部３１０ｂが点滅しているにもかかわらず、光照射部３１０ｂが常に消灯していると知覚する。したがって、図３（ａ）に示すように、光遮断装置５００ａを装着しているユーザは、断続的に入射される光照射部３１０ａの可視光（輝度＝３）の平均値程度の輝度（本例では「１」）を連続的に知覚し、光照射部３１０ａが輝度＝１で常に点灯していると認識する。
【００５３】
図３（ｂ）は、光照射装置３００ｂの点滅周期と光遮断装置５００ｂの切替え周期との同期関係を示す図である。
図３（ｂ）は、上から３段目に光遮断装置５００ｂの光遮断部５１０ｂの切替え周期を示し、上から４段目に光遮断装置５００ｂを装着したユーザ（例えば、図１に示すユーザＰ２）の目に入射する可視光の輝度及びユーザが知覚する可視光の平均輝度を示している点で、図３（ａ）と異なるが、その他は図３（ａ）と同様である。
【００５４】
図３（ｂ）に示すように、光照射装置３００ｂの点滅周期の１サイクル（サイクルＢ）を形成する３つの期間において、光照射部３１０ｂは、点灯期間が光照射部３１０ａと重複しないタイミングで、点灯→消灯→消灯の順に状態が繰り返し遷移する。また、光照射装置３００ｂと同期する光遮断装置５００ｂの切替え周期の１サイクル（サイクルＢ）を形成する３つの期間において、光遮断部５１０ｂは非遮光→遮光→遮光の順に状態が繰り返し遷移する。したがって、制御装置１００は、光照射装置３００ｂの点滅周期の１サイクル（サイクルＢ）に合わせて光遮断装置５００ｂの切替え周期の１サイクルを実施する。具体的には、制御装置１００は、光照射装置３００ｂに点灯制御信号を送信するタイミングに合わせて、光遮断装置５００ｂに非遮光制御信号を送信し、光照射装置３００ｂに消灯制御信号を送信するタイミングに合わせて、光遮断装置５００ｂに遮光制御信号を送信する。
【００５５】
つまり、制御装置１００は、光照射装置３００ｂの光照射部３１０ｂの点灯に合わせて光遮断装置５００ｂの光遮断部５１０ｂを非遮光状態として、光照射部３１０ｂの点灯期間に合わせて光遮断部５１０ｂが可視光を透過するように制御する。
【００５６】
なお、制御装置１００は、光遮断装置５００の切替え周期の制御に用いる切替え制御信号としてパルス信号を送信してもよい。この場合、制御装置１００は、例えば高レベル（Ｈｉｇｈ）のパルス信号を非遮光制御信号、低レベル（Ｌｏｗ）のパルス信号を遮光制御信号として光照射装置３００に送信すればよい。
【００５７】
このように、本実施形態による照明制御システム１において、制御装置１００は、光遮断部５１０ｂが一の光照射装置３００（本例では、光照射装置３００ｂ）の有する光源である光照射部３１０ｂの点灯に同期して非遮光状態となり、当該光照射部３１０ｂの消灯に同期して遮光状態となるように光遮断装置５００ｂの切替え周期を設定する。
【００５８】
これにより、図３（ｂ）に示すように、光遮断装置５００ｂの光遮断部５１０ｂは、光照射装置３００ｂの光照射部３１０ｂが点灯状態（輝度＝３）の期間（点灯期間）に合わせて非遮光状態となり、光照射部３１０ｂが消灯状態（輝度＝０）の期間（消灯期間）に合わせて遮光状態となる。
【００５９】
また、図３（ｂ）に示すように、光遮断装置５００ｂの光遮断部５１０ｂは光照射部３１０ａの点灯期間には非遮光状態となることはない。つまり、本例において、光遮断部５１０ｂが非遮光状態（例えば液晶シャッターが開状態（光透過性あり））のとき光照射部３１０ｂは必ず点灯している。一方、光遮断部５１０ｂが非遮光状態のとき、光照射部３１０ａは必ず消灯している。したがって、光遮断装置５００ｂを装着しているユーザの目には、照明制御システム１における複数の光照射部３１０のうち、光照射部３１０ｂが照射した可視光（輝度＝３）のみが入射することとなり、光照射部３１０ａが照射した可視光が入射することはない。
【００６０】
これにより、光遮断装置５００ｂを装着しているユーザは、光照射部３１０ｂが常に点灯していると知覚し、実際には光照射部３１０ａが点滅しているにもかかわらず、光照射部３１０ａが常に消灯していると知覚する。したがって、図３（ｂ）に示すように、光遮断装置５００ｂを装着しているユーザは、断続的に入射される光照射部３１０ｂの可視光（輝度＝３）の平均値程度の輝度（本例では「１」）を連続的に知覚し、光照射部３１０ｂが輝度＝１で常に点灯していると認識する。
【００６１】
このように、本実施形態による照明制御システム１には、光遮断装置５００が複数（本例では、光遮断装置５００ａ，５００ｂの２つ）設けられ、制御装置１００は、複数の光遮断装置５００ａ，５００ｂの切替え周期のそれぞれを、複数の光照射装置３００ａ，３００ｂのうちいずれか一の点滅周期と同期させる。これにより、例えば、図１に示すように、光遮断装置５００ａを装着したユーザＰ１と光遮断装置５００ｂを装着したユーザＰ２とが同一の空間（本例では屋内空間α）に存在する場合、各ユーザに、装着している光遮断装置５００の切替え周期と同期する点滅周期の光照射装置３００のみが点灯していると知覚させることができる。このため、照明制御システム１は、同一空間内に多重的な照明環境を創出して、同一空間内における複数のユーザそれぞれが所望する照明環境を提示することができ、さらに、他のユーザの照明環境に影響を及ぼすことなく、各ユーザが所望する照明環境を提示することができる。
【００６２】
上述した例では、制御装置１００は、光照射装置３００ａ，３００ｂの点滅周期に光遮断装置５００ａ，５００ｂの切替え周期を同期させる制御を行うとしたが、本発明はこれに限られない。例えば、制御装置１００は、光遮断装置５００ａ，５００ｂの切替え周期を規定し、当該切替え周期に光照射装置３００ａ，３００ｂの点滅周期を同期させる制御を行うことで、光遮断装置５００の切替え周期と光照射装置３００の点滅周期とを同期させてもよい。
【００６３】
この場合、制御装置１００は、光遮断装置５００ａ，５００ｂのそれぞれが有する光遮断部５１０ａ，５１０ｂが非遮光状態となる期間（非遮光期間）が重複しないように光遮断装置５００ａ，５００ｂのそれぞれの切替え周期を設定すればよい。例えば、制御装置１００は、照明制御システム１の動作開始時において、光遮断装置５００ａを非遮光状態にするタイミングと、光遮断装置５００ｂを非遮光状態にするタイミングとを異ならせればよい。
【００６４】
上述の場合、制御装置１００は、光照射装置３００（光照射装置３００ａ，３００ｂ）の点滅周期と光遮断装置５００ａ，５００ｂのうちいずれか一の光遮断装置の切替え周期とを同期させる。例えば、制御装置１００は、光遮断装置５００ａに非遮光制御信号を送信するタイミングに合わせて、光照射装置３００ａに点灯制御信号を送信し、光遮断装置５００ａに遮光制御信号を送信するタイミングに合わせて、光照射装置３００ａに消灯制御信号を送信すればよい。つまり制御装置１００は、光照射部３１０ａが、光遮断装置５００ａの光遮断部５１０ａの非遮光状態への遷移に同期して点灯し、光遮断部５１０ａの遮光状態への遷移に同期して消灯するように光照射装置３００ａの点滅周期を設定し、光遮断装置５００ａの切替え周期と光照射装置３００ａの点滅周期とを同期させればよい。光遮断装置５００ｂの切替え周期に光照射装置３００ｂの点滅周期を同期させる場合も、同様に制御すればよい。
【００６５】
このように、照明制御システム１は、光照射装置３００が複数（本例では、光照射装置３００ａ，３００ｂの２つ）設けられ、制御装置１００は、複数の光照射装置３００ａ，３００ｂの点滅周期のそれぞれを、複数の光遮断装置５００ａ，５００ｂのうちいずれか一の切替え周期と同期させる。この場合も、照明制御システム１は、同一空間内に多重的な照明環境を創出して、同一空間内における複数のユーザそれぞれが所望する照明環境を提示することができる。なお、本発明はこれに限られず、光遮断装置５００ａ、５００ｂの非遮光期間が重複してもよい。光遮断装置５００ａ、５００ｂの非遮光期間は、求める照明環境に応じて適宜変更することができる。
【００６６】
以上説明したように、本実施形態による照明制御システム１は、可視光を照射する光照射部３１０を有し、光照射部３１０の点灯と消灯とを所定の点滅周期で切り替え可能な光照射装置３００と、可視光を遮断する遮光状態と可視光を遮断しない非遮光状態とに可逆的に遷移可能な光遮断部を有し、光遮断部を前記遮光状態と前記非遮光状態とに所定の切替え周期で切替え可能な光遮断装置５００と、所定の通信手段によって光照射装置３００及び光遮断装置５００と接続され、光照射装置３００の点滅周期と光遮断装置５００の切替え周期とを同期可能な制御装置１００とを備えている。
これにより、照明制御システム１は、同一空間内に多重的な照明環境を創出することで、同一空間内における複数のユーザそれぞれが所望する照明環境を提示することができる。
【００６７】
図４は、照明制御システム１を利用する屋内空間βにおいて複数のユーザ（本例では、ユーザＰ３，Ｐ４，Ｐ５）のそれぞれが所望する明るさの照明環境の提供例を示す図である。
図４（ａ）に示す例において、屋内空間β内の天井には、光照射装置３００が３つ設けられている。具体的には、１つの光照射装置３００ａを挟んで２つの光照射装置３００ｂが設けられている。
【００６８】
例えばユーザＰ３は、作業に集中するため、自分の作業領域内だけを明るく、該作業領域よりも外側を暗くして他の作業者を視認しづらい照明環境を所望しているとする。この場合、光照射装置３００ａの下で作業中のユーザＰ３は光照射装置３００ａの点滅周期と同期する切替え周期の光遮断装置５００ａ（図４（ａ）では不図示）を装着すればよい。これにより、図４（ａ）に示すように、ユーザＰ３は、自分の作業領域を照らしている光照射装置３００ａの光照射部３１０ａが照射する可視光のみを知覚し、自分の作業領域外を照らしている光照射装置３００ｂの光照射部３１０ｂが照射する可視光は知覚しない状態となり、他の作業者であるユーザＰ４，Ｐ５の存在が視認しづらい状態となる。
【００６９】
またこのとき、ユーザＰ４，Ｐ５は、光照射装置３００ｂの点滅周期と同期する切替え周期の光遮断装置５００ｂ（図４（ａ）では不図示）を装着すれば、光照射装置３００ｂの光照射部３１０ｂが照射する可視光のみを知覚することになり、ユーザＰ３と同様に自分の作業領域内だけが明るいという照明環境の提供を受けることができる。
【００７０】
また、例えばユーザＰ３は、作業の休憩中においてリラックスするため、自分の作業内だけを暗くする照明環境を所望しているとする。この場合、光照射装置３００ａの下で作業中のユーザＰ３は光照射装置３００ｂの点滅周期と同期する切替え周期の光遮断装置５００ｂ（図４（ａ）では不図示）を装着すればよい。これにより、図４（ｂ）に示すように、ユーザＰ３は、自分の作業領域を照らしている光照射装置３００ａの光照射部３１０ａが照射する可視光を知覚せず、自分の作業領域外を照らしている光照射装置３００ｂの光照射部３１０ｂが照射する可視光を知覚する状態となる。
【００７１】
このように、ユーザＰ３は、同一空間内（本例では屋内空間β内）において、他のユーザＰ４，Ｐ５の照明環境に影響を及ぼさずに所望する照明環境の提供を受けることができる。
【００７２】
なお、照明制御システム１は、ユーザの知覚する可視光の明暗を制御するだけでなく、光照射装置３００の光照射部３１０として用いる光源の種類に応じて多様な照明環境を提供することができる。例えば、照明制御システム１は、複数の光照射装置３００において各光照射部３１０に異なる発光色の光源を用いることで、ユーザの所望する色合いの照明環境を提供することができる。
【００７３】
図５は、照明制御システム１を利用する屋内空間γにおいて複数のユーザ（本例では、ユーザＰ６，Ｐ７，Ｐ８）のそれぞれが所望する色合いの照明環境の提供例を示す図である。本例において、光照射装置３００ａの光照射部３１０ａには発光色が暖色系の光源（例えばＬＥＤランプ）が用いられており、光照射装置３００ｂの光照射部３１０ｂには発光色が寒色系の光源（例えばＬＥＤランプ）が用いられているとする。
また、屋内空間γ内の天井に、光照射装置３００ａ，３００ｂがそれぞれ３つずつ交互に設置されているとする。理解を容易にするため、図５において、光照射部３１０ａと光照射部３１０ｂとの発光色の違いは、光照射装置３００ａ，３００ｂの網掛けの態様の違いによって図示している。
【００７４】
屋内空間γ内において、例えば暖色系の発光色の光源による照明環境を所望するユーザＰ６は、光照射装置３００ａの点滅周期と同期する切替え周期の光遮断装置５００ａ（図５では不図示）を装着すればよい。これにより、図５に示すように、ユーザＰ６は、光照射装置３００ａの光照射部３１０ａが照射する暖色系の可視光を知覚し、光照射装置３００ｂの光照射部３１０ｂが照射する寒色系の可視光を知覚しない。このため、ユーザＰ６は、暖色系の発光色の光源による照明環境の下で作業を行うことができる。
【００７５】
また、屋内空間γ内において、例えば寒色系の発光色の光源による照明環境を所望するユーザＰ８は、光照射装置３００ｂの点滅周期と同期する切替え周期の光遮断装置５００ｂ（図５では不図示）を装着すればよい。これにより、図５に示すように、ユーザＰ８は、光照射装置３００ｂの光照射部３１０ｂが照射する寒色系の可視光を知覚し、光照射装置３００ａの光照射部３１０ａが照射する暖色系の可視光を知覚しない。このため、ユーザＰ８は、寒色系の発光色の光源による照明環境の下で作業を行うことができる。
【００７６】
また、例えば、寒色と暖色とが混色した中間色による照明環境を所望するユーザＰ７は、光遮断装置５００を装着しなければよい。これにより、図５に示すように、ユーザＰ７は、光照射装置３００ａの光照射部３１０ａが照射する暖色系の可視光と、光照射装置３００ｂの光照射部３１０ｂが照射する寒色系の可視光との両方を知覚可能となる。このため、ユーザＰ８は、寒色系の発光色の光源と暖色系の発光色の光源とが混色した中間色による照明環境の下で作業を行うことができる。
また例えば、光照射装置３００ａ，３００ｂの点滅周期のサイクルとして、光照射部３１０ａが照射する暖色系の可視光と、光照射部３１０ｂが照射する寒色系の可視光とが混色する期間、つまり光照射部３１０ａと光照射部３１０ｂとの点灯期間が重なる期間を設け、当該期間中に光遮断部５１０が非遮光状態となる切替え周期の光遮断装置５００を用意し、当該光遮断装置５００を装着したユーザ（ここでは、ユーザＰ７）に上述の中間色による照明環境を提供してもよい。
【００７７】
このように、本実施形態による照明制御システム１は、複数の光照射装置３００のそれぞれの光照射部３１０として用いる光源の態様（例えば、発光色、輝度、光量等）を異ならせることで、同一空間内において多重的な照明環境を提供することができる。これにより、照明制御システム１は、同一空間内にいる複数のユーザそれぞれに対し、他のユーザの照明環境に影響を及ぼすことなく、より多様な照明環境の中から各人が所望する照明環境を提示することができる。
【００７８】
なお、上述のように光照射部３１０ａ，３１０ｂのそれぞれの光源の発光色を異ならせるのではなく、発光色の混色を目的として、光照射装置３００ａの光照射部３１０ａ，３１０ｂを複数の発光色で発光する光源（例えば、フルカラーＬＥＤランプ）で構成してもよい。また、例えば複数の光照射装置３００ａの光照射部３１０ａのそれぞれを異なる発光色の光源で構成し、この光照射部３１０ａを同時に点灯させることで、発光色を混色させてもよい。
【００７９】
（変形例）
上記実施形態では、照明制御システム１において制御装置１００は、光照射装置３００に点灯制御信号を送信するタイミングに合わせて、光遮断装置５００に非遮光制御信号を送信し、光照射装置３００に消灯制御信号を送信するタイミングに合わせて、光遮断装置５００に遮光信号を送信することで、光照射装置３００の点滅周期と光遮断装置５００の切替え周期とを同期させていた。
しかしながら、例えば光遮断装置５００が有する光遮断部５１０において遮光状態と非遮光状態とを電気的に切替える際の速度（応答速度）によっては、光照射装置３００の点滅周期と光遮断装置５００の切替え周期が意図したように同期されず、ユーザが所望する照明環境と実際にユーザに提供される照明環境とに差異が生じる場合がある。
【００８０】
例えば、光照射装置３００ａの点滅周期と光遮断装置５００ａの切替え周期を同期制御する際において、光遮断部５１０ａの応答速度が、光照射部３１０ａが点灯と消灯とを電気的に切り替える場合の応答速度よりも遅いとする。この場合、光遮断部５１０ａが非遮光状態である期間と光照射部３１０ａの点灯期間にずれが生じて、ユーザが知覚する光の輝度が意図せずに低下するような事象や、光遮断部５１０ａが完全に遮光状態になる前に同期対象ではない光照射装置３００ｂの光照射部３１０ｂの点灯が開始されてユーザの目に光照射部３１０ｂの照射する光が入射するような事象が生じて、ユーザの所望する照明環境が提供できないおそれもある。
【００８１】
そこで、本変形例による照明制御システム１において、制御装置１００は、光遮断装置５００の光遮断部５１０が遮光状態と非遮光状態との遷移期間中である場合に、全ての光照射装置３００の光照射部３１０が点灯しないように光照射装置３００を制御する。
ここで、光遮断装置５００が遮光状態から非遮光状態に、又は非遮光状態から遮光状態に遷移する期間をインターバル期間という。制御装置１００がインターバル期間を含めて光遮断装置５００の切替え周期と光照射装置３００の点滅周期とを同期させる制御を行うことで、照明制御システム１は、光照射装置３００における光照射部３１０の点灯期間と光照射装置３００を同期対象とする光遮断装置５００における光遮断部５１０の非遮光状態期間とにずれが生じることを防止することができる。つまり、光遮断装置５００の光遮断部５１０の応答速度に関わらず、ユーザの所望する照明環境を提供することができる。
【００８２】
本変形例における光照射装置３００の点滅周期と光遮断装置５００の切替え周期の同期制御について、図６を用いて説明する。図６は、光照射装置３００ａの点滅周期と光遮断装置５００ａの切替え周期とを例にとって、インターバル期間を含めた同期制御を説明する図である。
【００８３】
図６の上から１段目は、光照射装置３００ａの点滅周期を示しており、上から２段目は、光照射装置３００ｂの点滅周期を示している。図６の上から１段目及び２段目の縦軸は、各光照射装置３００の光照射部３１０の光度（Ｌｕｍｉｎｏｕｓ  Ｉｎｔｅｎｓｉｔｙ）を示しており、光度＝０の状態が消灯、光度＞０の状態が点灯を示している。また、図６の上から３段目は、光遮断装置５００ａの光遮断部５１０ａの切替え周期を示している。図６の上から３段目の縦軸は光遮断部５１０ａの可視光の透過率（Ｔｒａｎｓｍｉｔｔａｎｃｅ）を示しており、透過率＝０の状態が遮光状態、透過率＝１００の状態が非遮光状態を示している。また、図６の上から４段目は、光遮断装置５００ａを装着したユーザの目に入射する可視光の状態を示しており、矢印が到達している状態が光遮断装置５００ａの光遮断部５１０ａを透過して可視光が入射している状態を示し、矢印が到達していない状態が光遮断部５１０ａに遮光されて可視光が入射していない状態を示している。
また、図６の上から１〜４段目の横軸は時間軸（ｔ）を示している。
【００８４】
図６に示すように、本例の光遮断部５１０ａは、遮光状態と非遮光状態とに遷移する場合に所定のインターバル期間を要する。具体的には、光遮断部５１０ａには、遮光状態から非遮光状態に遷移する際の第一インターバル期間Ｔｉｎｔ１と、非遮光状態から遮光状態に遷移する際の第二インターバル期間Ｔｉｎｔ２とが生じている。なお、第一インターバル期間Ｔｉｎｔ１と第二インターバル期間Ｔｉｎｔ２とは、同一の期間であってよい。すなわち、第一インターバル期間Ｔｉｎｔ１と第二インターバル期間Ｔｉｎｔ２とは、時間長が同じであってよい。
【００８５】
そこで、図６に示すように、光遮断装置５００ａの同期対象である光照射装置３００ａは、第一インターバル期間Ｔｉｎｔ１が終了して光遮断装置５００ａの光遮断部５１０ａの透過率が１００％となり、完全に非遮光状態となった時点で光照射部３１０ａを点灯させる。また、光遮断装置５００ａの同期対象でない光照射装置３００ｂは、第二インターバル期間Ｔｉｎｔ２が終了して光遮断装置５００ａの光遮断部５１０ａの透過率が０％となり、完全に遮光状態となった時点で光照射部３１０ｂを点灯させる。
【００８６】
より具体的には、例えば照明制御システム１の運用者は、まず、光遮断装置５００の光遮断部５１０の光の透過率の推移から応答速度を測定すればよい。本変形例において、光遮断部５１０の応答速度は、例えば、少なくとも１００μ秒以上１００００μ秒以下、好ましくは５００μ秒以上５０００μ秒以下、さらに好ましくは１０００μ秒以上４０００μ秒以下、さらに好ましくは１５００μ秒以上３０００μ秒以下、最も好ましくは１８００μ秒以上２５００μ秒以下である。本例では、光遮断部５１０ａの応答速度は２０００μ秒とする。なお、通常、複数の光遮断装置５００のそれぞれにおける光遮断部５１０の応答速度は同一であるとする。
【００８７】
また、本変形例において、光照射装置３００ａの点滅周期はＣＦＦを担保するために６０Ｈｚであるとする。図６に示すように、本変形例において光照射装置３００ａは、点滅周期において光照射部３１０ａを点灯可能な最長の期間（点灯可能期間＝本例では、１／６０Ｎｓ）において、第一インターバル期間Ｔｉｎｔ１（本例では２０００μ秒）分だけ点灯を遅延させている。つまり、制御装置１００は、光照射部３１０ａの点灯可能期間の開始時点において、まず光遮断装置５００に非遮光制御信号を送信し、灯可能期間の開始時点から第一インターバル期間Ｔｉｎｔ１が経過した時点で光照射装置３００ａに点灯制御信号を送信する。本変形例において、光照射装置３００ａの光照射部３１０ａの応答速度は非常に高速であって、点灯制御信号を受信すると瞬時に光照射部３１０が点灯する。
【００８８】
これにより、図６に示すように、光遮断装置５００ａの光遮断部５１０ａの透過率が１００％となり、完全に非遮光状態となった時点で光照射部３１０ａを点灯することができる。また、制御装置１００は、光照射部３１０ａの点灯可能期間の終了時において、光照射装置３００ａに消灯制御信号を送信するとともに、光遮断装置５００ａに遮光制御信号を送信する。これにより、光遮断部５１０ａの透過率が１００％より低下して完全に非遮光状態でなくなる時点、つまり非遮光状態から遮光状態に遷移を開始する第二インターバル期間Ｔｉｎｔ２の開始時点で光照射部３１０ａを消灯することができる。
【００８９】
また、図６に示すように、本変形例において光遮断装置５００の同期対象でない光照射装置３００ｂは、光照射部３１０ｂの点灯可能期間（本例では、１／６０Ｎｓ）において、光遮断装置５００の第二インターバル期間Ｔｉｎｔ２（本例では２０００μ秒）分だけ点灯を遅延させている。つまり、制御装置１００は、光照射部３１０ｂの点灯可能期間の開始時点から第二インターバル期間Ｔｉｎｔ２が経過した時点で光照射装置３００ａに点灯制御信号を送信する。これにより、光遮断装置５００ａの光遮断部５１０ａの透過率が０％となり、完全に遮光状態となった時点で光照射部３１０ｂを点灯することができる。
【００９０】
このように、本変形例において、制御装置１００は、光遮断装置５００ａの光遮断部５１０ａが遮光状態と非遮光状態との遷移期間中（インターバル期間中）である場合に、全ての光照射装置３００（光照射装置３００ａ，３００ｂ）の光照射部３１０（光照射部３１０ａ，３１０ｂ）が点灯しないように制御する。さらに、制御装置１００は、光遮断装置５００ａの光遮断部５１０ａが完全に非遮光状態となる時点で、点滅周期が光遮断装置５００ａの切替え周期と同期する光照射装置３００ａの光照射部３１０ａが点灯するように該光照射装置３００ａを制御する。
【００９１】
これにより、光遮断部５１０ａは、光遮断装置５００ａの同期対象である光照射装置３００ａの光照射部３１０ａの照射する光のみを透過し、同期対象でない光照射装置３００ｂの光照射部３１０ｂの照射する光は透過しないように制御される。したがって、図６に示すように、光遮断装置５００ａを装着したユーザの目には、光照射部３１０ａの照射する光のみが入射し、当該ユーザは光照射部３１０ａのみを知覚して所望する照明環境の提供を受けることができる。
また、本変形例において、インターバル期間を設けて光照射装置３００ａの点滅周期及び光遮断装置５００ａの点滅周期を制御したが、光遮断装置５００ａを装着したユーザが知覚する可視光の輝度は、光遮断部５１０ａを非遮光状態にして可視光の透過率を１００％にしたまま、光照射部３１０ａと同等の光源下で知覚する可視光の輝度と同様となる。
【００９２】
なお、図６では、光照射装置３００ａの点滅周期と光遮断装置５００ａの切替え周期とを例にとって、インターバル期間を含めた同期制御を説明したが、光照射装置３００ｂの点滅周期と光遮断装置５００ｂの切替え周期とをインターバル期間を含めて同期制御する場合も、同様である。つまり、制御装置１００は、光遮断装置５００ｂの光遮断部５１０ｂが遮光状態と非遮光状態との遷移期間中（インターバル期間中）である場合に、全ての光照射装置３００（光照射装置３００ａ，３００ｂ）の光照射部３１０が点灯しないように制御すればよい。また、制御装置１００は、光遮断装置５００ｂの光遮断部５１０ｂが完全に非遮光状態となる時点で、点滅周期が光遮断装置５００ｂの切替え周期と同期する光照射装置３００ｂの光照射部３１０ｂが点灯するように該光照射装置３００ｂを制御すればよい。
【００９３】
以上説明したように、本変形例による照明制御システム１は、インターバル期間を含めて光照射装置３００の点滅周期と光遮断装置５００の切替え周期との同期制御を行うことで、光遮断装置５００の光遮断部５１０の応答速度に関わらず、同一空間内における多重的な照明環境下において、ユーザの所望する照明環境を提供することができる。
【００９４】
（その他の変形例）
上記実施形態では、照明制御システム１が点滅周期の異なる２つ（２種類）の光照射装置３００を備える例を説明したが、光照射装置３００の数（種類）はこれに限られない。例えば照明制御システム１が備える光照射装置３００は単数であってもよいし、複数の光照射装置３００において点滅周期が同一であってもよい。この場合、例えばユーザは、光照射装置３００の点滅周期と同期しない切替え周期の光遮断装置を装着することで、他のユーザの照明環境に影響を及ぼすことなく輝度の低い照明環境（例えば、休憩中におけるリラックスのための暗い照明環境）の提供を受けることができる。また、光照射装置３００の種類は３つ以上であってもよく、この場合、各光照射装置３００の点滅周期に切替え周期を同期させた少なくとも３つ以上の光遮断装置５００を用意すればよい。
【００９５】
また、一の光照射装置３００の光照射部３１０がフルカラーＬＥＤで構成されていてもよい。この場合、一の光照射装置３００によっても、多重的な照明環境を創出することができる。具体的には、フルカラーＬＥＤをユーザ所望の色合いで順番に発光させ，その切替え周期を光遮断装置５００の切替え周期と同期させることで、複数色の中からユーザの所望の色合いの照明環境を提供することができる。
【００９６】
また、上記実施形態において、光遮断装置５００の一例として個人用の装着型機器（メガネ型の機器）を挙げたが、本発明はこれに限られない。例えば光遮断装置５００は、個人用又は少人数用のコンパートメントやブースの天井部分を覆うように取り付けたシェードのような装置であってもよい。また、このシェード形状の光遮断装置５００は、光照射装置３００を覆うように設けられていてもよい。
【００９７】
また、上記実施形態において、光遮断装置５００の切替え周期は、制御装置１００が送信する切替え制御信号によって制御するとしたが、本発明はこれに限られない。光遮断装置５００は、ユーザが切替え周期を調整可能な調整機構を有していてもよい。例えば、光遮断装置５００には、ユーザにより操作可能なスイッチ部（つまみ、ボタン等）が設けられ、ユーザがスイッチ部を操作して（例えば、つまみを回して）、光遮断部５１０の切替え周期を複数の光照射装置３００のいずれかの点滅周期と同期するように調整可能であればよい。これにより、照明制御システム１のユーザは、スイッチ部の操作によって複数の光照射装置３００のうちいずれかの点滅周期に、装着した光遮断装置５００の切替え周期を同期させることで、光遮断装置５００を付け替えることなく、所望の照明環境の提供を受けることができる。この場合、光遮断装置５００は通信機能を有さず、例えばスイッチ部の操作に基づいて光遮断制御部５０３に所定の切替え制御信号が出力されるように構成されてもよい。またこの場合、制御装置１００は、光照射装置３００にのみ制御信号（点滅制御信号）を送信すればよいため、制御装置１００の処理負荷を軽減することができる。
【００９８】
また、上記実施形態において、光照射装置３００の点滅周期は、制御装置１００が送信する点滅制御信号によって制御するとしたが、本発明はこれに限られない。例えば、光照射装置３００が有する点滅制御部３０３が点滅制御信号に基づかずに、光照射部３１０の点滅を制御してもよい。例えば、点滅制御部３０３は予め定められた点滅周期で光照射部３１０に高レベル（点灯）または低レベル（消灯）のパルス信号を出力するように構成されていればよい。この場合、光照射装置３００は通信機能（通信制御部３０１）を有していなくてもよい。このように、本発明による照明制御システムは、通信機能が不要の光照射装置３００と、上述のようにユーザが切替え周期を調整可能であって通信機能が不要の光遮断装置５００とを組み合わせて用いることで、制御装置１００なしに運用することができる。このため、例えば所定の通信手段の利用が困難な環境下であっても同一空間内に多重的な照明環境を創出し、同一空間内における複数のユーザそれぞれが所望する照明環境を提示することができる。
【００９９】
以上、実施形態により本発明を説明したが、本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【符号の説明】
【０１００】
１  照明制御システム
１００  制御装置
３００、３００ａ、３００ｂ  光照射装置
３０１、５０１  通信制御部
３０３  点滅制御部
５０３  光遮断制御部
３１０、３１０ａ、３１０ｂ  光照射部
５００、５００ａ、５００ｂ  光遮断装置
５１０、５１０ａ、５１０ｂ  光遮断部
【図１】
2020136092.tif 000003
【図２】
2020136092.tif 000004
【図３】
2020136092.tif 000005
【図４】
2020136092.tif 000006
【図５】
2020136092.tif 000007
【図６】
2020136092.tif 000008